(57)【要約】      （修正有）【課題】  本発明は男性の陰茎を補助して、その機能を完全に発揮せしめ円満な夫婦生活のいとなみを可能にする男性機能補助具を提供することを目的とする。【解決手段】  陰茎に装着させる筒体に外壁部２と内壁部３が中硬な塩化ビニール製で形成されている。筒体の基端部の周りには筒体と同じ塩化ビニール製の鍔４が一体に形成されている。筒体の先端は密閉されていて周回状（環状）に設けられており筒体と内壁部３との間には周回状（環状）の空気室６が形成されている。この筒体の基端部には鍔４が一体に形成されていて、その内部は空気室６となっていて、その結果鍔４の空気室６と筒体の空気室がつながる。鍔４の外壁部２には空気を送るための逆止弁５が設けてある。【選択図】図５
2006068514.tif 000002
【特許請求の範囲】
【請求項１】
筒体１は合成樹脂でできている外壁部２の一方の先端が内側に折り返して内壁部３となりその反対側の先端は外壁部２の先端と溶着されて外壁部２と内壁部３の間に周回状の空気室６ができ、その空気室６の外壁部２の外側に連通した逆止弁５が設けてあり、その逆止弁５から空気を送気することによって、その内壁部３が内方向へ向けて狭まることが可能な筒体１で構成されたことを特徴とする男性機能補助具。
【請求項２】
筒体１は合成樹脂でできている外壁部２の一方の先端が内側に折り返して内壁部３となり、その外壁部２と内壁部３の他方の先端の周りに空気を入れることによって体に密着させるために筒体１と一体に設けた鍔４があり、その鍔４は筒体１と一体に設けることによって鍔４に空気室ができる。その結果、鍔４の空気室６は筒体１の空気室６がつながった容積の広い空気室６になる。
その鍔４の外壁部２に空気室６に連通した逆止弁５が設けてあり、空気を送気することによって、その内壁部３が内方向へ向けて狭まることが可能な周回状の空気室６を有する筒体１と鍔４で構成されたことを特徴とする男性機能補助具。
【請求項３】
請求項１または請求項２の筒体１の外周の一部に外壁部２が外側方向への膨張を抑える二重の外壁部２Ａを設けたことを特徴とする請求項１または２記載の男性機能補助具。
【請求項４】
筒体１全体の壁が蛇腹状の外壁部２と内壁部３が二重構造になっていることを特徴とする請求項１または２または４記載の男性機能補助具。
【請求項５】
筒体１の一部の壁が蛇腹状で、その他の部分が平面の外壁部２と内壁部３が二重構造の特徴を有する請求項１または２の記載の男性機能補助具。
【発明の詳細な説明】
【技術分野】
【０００１】  本発明は男性陰茎の勃起を補助するための男性機能補助具に関する。
【技術背景】
【０００２】  従来この種の男性機能補助具として特公平２−３７１８０号及び特開平７−８００１６号及び特開平７−１２４１８８号、特開平１０−５７４０８号広報に記載されたものが公知である。これらは男性陰茎を装着し得る柔軟な弾性材でもって円筒体を形成し、この円筒体の肉厚部の周回状の空気室を設け、この空気室に逆止弁付送気ホースを連通させるとともに、空気室の円筒体外周側に硬い保型壁を形成し、男性陰茎に装着した後で空気室内に空気を送気させたときに円筒体の外周部が保型壁の作用で原形状を保持しつつ内周部が勃化して陰茎の基部を圧迫するようになし、この圧迫により陰茎を膨充化させて勃起不全や早漏等の肉体の欠陥を持った男性の機能を補助できるようにしたものである。
【０００３】  しかし、上記記載の各号公知の方法では色々と問題点があった。特公平２−３７１８０号に於いては円筒体の外壁部と内壁部の硬さが異なる構造となっていて、その形成方法に問題があり使用後も接着部分が破損することが多かった。筒体の外壁部は内壁部より硬い保型壁で形成し、内壁部には柔軟な軟らかいシリコンの壁で形成されているため、空気室に送気しても内壁部が膨張しても材質が軟らかすぎて風船のように膨らむだけで思うように陰茎が締まらない欠点があった。
【０００４】  特開平７−８００１６号については空気室の外壁部の外面部に外側に膨張を抑える円周方向の凸状の筋を設けてあるが、内壁部は特公平２−３７１８０号同様、筒体の外壁部は内壁部より硬い保型壁で形成し、内壁部には柔軟な軟らかい壁で形成されているため、空気室に送気しても内壁部が膨張しても材質が軟らかすぎて風船のように膨らむだけで思うように陰茎が締まらない欠点があった。
【０００５】  特開平７−１２４１８８号については、筒体の内芯側に膨張しないような非膨張部が設けられて形成されているが、内壁部は特公平２−３７１８０号同様、筒体の外壁部は内壁部より硬い保型壁で形成し、内壁部には柔軟な軟らかい壁で形成されているため、空気室に送気しても内壁部が膨張しても材質が軟らかすぎて風船のように膨らむだけで思うように陰茎が締まらない欠点があった。
【０００６】  特開平１０−５７４０８号については筒体の基端部の周りに装着時に指をかけるための鍔が設けられて形成されているが、内壁部は特公平２−３７１８０号同様、筒体の外壁部は内壁部より硬い保型壁で形成し、内壁部には柔軟な軟らかい壁で形成されているため、空気室に送気しても内壁部が膨張しても材質が軟らかすぎて風船のように膨らむだけで思うように陰茎が締まらないという欠点があった。
【発明の開示】
【発明が解決しようとする課題】
【０００７】  上記の公知例は円筒体の空気室の外周側に内壁部より固い保型壁を形成することによって陰茎に装着した後で空気室に送気させたときに円筒体の外周部が原形状を保持するようになっているが、このような硬い外壁部と軟らかい内壁部を設けるには硬さの異なる複数の材質を使用する必要があり、その形成方法が複雑で面倒であった。形成の方法は外壁部と内壁部が接着剤を使用して組立られているため形成完了後も接着剤の劣化で接着箇所が破損したりして空気漏れをする問題があった。また、円筒体の空気室に送気しても内壁部が柔軟な合成樹脂製（シリコン系）で形成されているため、空気室に送気しても内壁部が膨張しても材質が軟らかすぎて風船のように膨らむだけで思うように陰茎が締まらないという欠点があった。
【課題を解決するための手段】
【０００８】  上記の課題を解決するために、本発明の男性機能補助具は内壁部３に陰茎８を、挿入可能な弾性材から成る筒体１の側壁に中硬性を有する外壁部２と内壁部３で密閉された円周方向の空気室６を設け、その空気室６に外部から空気を送り込んで内壁部３を内側方向に向けて押えることにより、陰茎８を絞めつけると共に、前記筒体１の基端部の周りを指で装着するための内部に空気室６を備えた合成樹脂の鍔４が一体に設けられ、鍔４の外側に送気ポンプ（送気球）１２と接続できる逆止弁５が設けられている。また、本発明の機能補助具の形成方法は合成樹脂（塩化ビニール）でできているため形成は従来のように接着剤を使用せず溶着できるので組立が容易であり丈夫で長持ちするのが特徴とするものである。
【発明の効果】
【０００９】  本発明は男性と女性が、性的に交わるときに男性の陰茎８に装着して使用するものであり、すなわち陰茎８を筒体１に挿入してその亀頭７を筒体１の先端から露出させた状態に装着し、その後、筒体１の空気室６に鍔４に取り付けた逆止弁５に送気ポンプ（送気球）１２を差し込んで空気を送り空気室６の内壁部３を内側方向に向けて押えることにより陰茎８を絞めつけて圧迫し、陰茎８内の血液を停充して陰茎８を硬化させ完全な勃起状態に至らしめるものである。【００１０】  上記をより詳しく説明すると、送気ポンプ（送気球）１２で逆止弁５から入った空気は最初は鍔４に流れ込み、そして筒体１の空気室６にも送られ、鍔４、筒体１とも満杯状態になり、筒体１の内壁部３に強い空気圧がかかりさらに空気を送り込むことで、鍔４全体の空気室６が膨らんで陰茎８が絞め付けられ前に押し出されて勃起状態になる。従来の方法では、筒体１の空気室６にしか空気が入らなかったので、内壁部３の内側への締めつけが弱かった。本発明は筒体１と鍔４の空気室６の容積が広くなったため、送気すると従来の筒体のみよりも締めつけが増大する。
【実施例】
【００１１】  以下発明の一実施形態を図１ないし図２２に基づいて説明する。
図１は本発明の請求項１の実施例の斜視図である。
図２は本発明の請求項１の実施例の縦断面図である。
図３は本発明の請求項１の図４の実施例の縦断面図である。
図４は本発明に鍔４が付いた状態の実施例の斜視図である。
図５は本発明の図４の実施例の縦断面図である。
図６は本発明の図４の筒体１の外側からサポーターを被せた状態の実施例の側面図である。
図７は本発明を陰茎８に取り付けた実施例の縦断面図である。
図８の本発明は図７のＡ−Ａ′の位置の実施例の横断面図である。
図９は本発明を陰茎８に取り付け鍔４内の空気室６の空気を抜いて鍔４を体に押し付けた状態の実施例の縦断面図である。
図１０は本発明の図９のＡ−Ａ′の位置の実施例の横断面図である。
図１１は本発明を陰茎８に取り付けて半ばまで空気を送った状態の実施例の縦断面図である。
図１２の本発明は図１１のＡ−Ａ′の位置の実施例の横断面図である。
図１３は本発明を陰茎８に取り付けて空気室６に満杯に空気を送った状態の実施例の縦断面図である。
図１４は本発明の図１３のＡ−Ａ′の位置の実施例の横断面図である。
図１５は本発明の図４の筒体１の外側に二重の外壁部２Ａを設けた実施例の縦断面図である。
図１６は本発明の図１５にて陰茎８を挿入し、空気室６に空気を満杯に入れた状態の実施例の縦断面図
図１７は本発明の筒体１の外壁部２と内壁部３が蛇腹状になっている実施例の側面図である。
図１８は本発明の図１７の実施例の断面図である。
図１９は本発明の逆止弁５の実施例の斜視図である。
図２０の本発明の筒体１に取り付けるためのサポーター９の実施例の断面図である。
図２１は本発明の筒体１の空気室６に空気を送るために逆止弁５に差し込む送気ポンプ（送気球）１２の実施例の側面図である。
図２２の本発明の逆止弁５に取り付けたキャップ１０の実施例の斜視図である。【００１２】  上記を図面を追って詳しく説明すると、
図１から図３に示すように、本発明の実施例の筒体１の外壁部２と内壁部３は中硬な塩化ビニール（厚生省認可）からなっていて、筒体の外壁部２には送気ポンプ（送気球）１２と接続できる逆止弁５からなっている。【００１３】  筒体１の内壁部３は両端が密閉されていて周回状（環状）に設けられておりこれによって筒体１の外壁部２と内壁部３との間には周回状の空気室６が形成されている。
また、筒体１の外壁部２には空気室６に空気を送るための逆止弁５があり、送気ポンプ１２で空気を送るようになっている。【００１４】  次に本発明の図１の使用方法（動作）を説明する。
まず筒体１の後方から亀頭７を挿入させ、筒体１の前方に露出させた後、送気ポンプ１２を逆止弁５と接合し空気を送ることで陰茎８は内壁部３によって絞め付けられる。
使用後この筒体１の取り外しは、逆止弁５の根元を指で強く挟むことによって、中の空気が排出し筒体１の内壁部３が元に戻ることにより取り外すことができる。【００１５】  図４から図６は本発明を陰茎８に装着させる筒体１に外壁部２と内壁部３が中硬な塩化ビニール製（厚生省認可）で形成されている。筒体１の基端部の周りには筒体１と同じ塩化ビニール製（厚生省認可）の鍔４が一体に形成されている。
筒体１の先端は密閉されていて周回状に設けられており筒体１と内壁部３との間には周回状の空気室６が形成されている。
この筒体１の基端部には鍔４が一体に形成されていて、その内部は空気室６となっていて鍔４の外壁部２には空気を送るための逆止弁５が設けてある。【００１６】  次に本発明の実施例の図４の使用方法（動作）を説明する。
まず、陰茎８の亀頭７を鍔４の開口穴から差し入れて筒体１の前方に亀頭７を露出させて装着する。次に送気ポンプ１２を逆止弁５に接続し、鍔４の空気室６に空気を半ば充填する。その後、鍔４の外面を指で押し圧を繰返すと鍔４が陰茎８の根元まで押し付けられ、その後、再度空気を送り続けると陰茎８と亀頭７が硬化して勃起する。
この本発明の取り外しは逆止弁５の根元を指で強く挟むことによって、中の空気が排出し筒体１の内壁部３が元に戻ることにより取り外すことができる。【００１７】  次に図７と図８について説明すると、図７は本発明を陰茎８に装着した例であり、鍔４の内側から亀頭７を挿入し筒体１の前方に露出させた状態をあらわす。
また、図８は図７のＡ−Ａ′の横断面図であり、空気室６に空気が入っていない状態をあらわす。【００１８】  次に図９と図１０について説明すると、図９は本発明を陰茎８に装着した例であり、鍔４の内側から亀頭７を挿入し筒体１の前方に露出させてから鍔４の空気を指で押し出した状態をあらわす。
また、図１０は図９のＡ−Ａ′の横断面図であり、空気室６に空気が入っていない状態をあらわす。【００１９】  次に図１１と図１２について説明すると、図１１は本発明を陰茎８に装着した例であり、鍔４の内側から亀頭７を挿入し筒体１の前方に露出させてから鍔４に空気を半ばまで入れた状態をあらわす。この時点では陰茎８が半ばまで締めつけられた状態である。
また、図１２は図１１のＡ−Ａ′の横断面図であり、空気室６に空気が半ばまで入ることによって内壁部３が内側に押されている状態である。【００２０】  次に図１３と図１４について説明すると、図１３は本発明を陰茎８に装着した例であり、鍔４の内側から亀頭７を挿入し筒体１の前方に露出させてから鍔４に空気を満杯に入れた状態をあらわす。この時点では陰茎８が完全に締めつけられて勃起した状態である。
また、図１３は図１４のＡ−Ａ′の横断面図であり、鍔４の空気室６と筒体１の空気室６に空気が満杯に入ることによって内壁部３が内側に最大限に押されて、陰茎８が締めつけられて完全に勃起した状態である。【００２１】  次に図１５と図１６について説明すると、図１５は図４の本発明の筒体１の一部の外壁部２の外側に硬い外壁部２Ａを二重に設けた状態をあらわす。この硬い外壁部２Ａを設けたことにより、空気室６に空気が入ってもその硬い外壁部２の部分は外側に膨張せず、直径は変わらず、前方の二重の外壁部２Ａになっていない柔らかい外壁部２の部分は筒体１の直径より膨張した状態である。前方の外壁部２が膨張することにより男性の陰茎が増大したようにさせることに目的が達成できる。【００２２】  図１５の使用方法（動作）を説明する。
まず、陰茎８の亀頭７を鍔４の開口穴から差し入れて筒体１の前方に亀頭７を露出させて装着する。次に送気ポンプ１２を逆止弁５に接続し、鍔４の空気室６に空気を半ば充填する。その後、鍔４の外面を指で押し圧を繰返すと鍔４が陰茎８の根元まで押しつける。その後、女性の体内に挿入にして、その後、再度空気を送り続けると前方の外壁部２が膨張し、同時に陰茎８と亀頭７が硬化して勃起する。
この本発明の取り外しは逆止弁５の根元を指で強く挟むことによって、中の空気が排出し筒体１の内壁部３が元に戻ることにより取り外すことができる。【００２３】  次に図１７と図１８について説明すると、図１７は図４の本発明の筒体１の外壁部２と内壁部３が蛇腹状の構造となっている状態をあらわす側面図である。図１８は図１７の断面図である。この蛇腹状の外壁部２と内壁部３は陰茎８の長さの調節が可能になるための構造になっている。【００２４】  次に図１７の本発明の使用方法（動作）を説明する。
まず、本発明の蛇腹状の筒体１の部分を指で縮めて、陰茎８の亀頭部７を鍔４の開口穴から差し入れて筒体１の前方に亀頭７を露出させて装着する。そのとき、亀頭７の元に蛇腹の先端をあてがうようにする。次に送気ポンプ１２を逆止弁５に接続し鍔４の空気室６に空気を満杯に充填すると蛇腹が亀頭７・陰茎８と共に前方に伸びて硬化して勃起する。
この図１７の本発明の取り外しは逆止弁５の根元を指で強く挟むことによって、中の空気が排出し蛇腹状の筒体１が元の縮んだ状態に戻ることにより、取り外すことができる。【００２５】  図１９は本発明に送気するための逆止弁５の斜視図である。【００２６】  図２０は本発明のサポーター９であって、その材質は柔軟なシリコンできていて筒体１の外側に被せて使用するものである。【００２７】  図２１は本発明の筒体１の空気室６に空気を送るために逆止弁５に差し込む送気ポンプ（送気球）１２の側面図である。【００２８】    図２２は本発明の逆止弁５に取り付ける柔軟なシリコン材質でできているキャップ１０の斜視図である。【００２９】  図１および図４、図１７の本発明の実施例の筒体１は外壁部２と内壁部３がともに塩化ビニール（厚生省認可）でできている。筒体１の外壁部２の一方の先端が内側に折り返して内壁部３となりその反対側の先端は溶着されて、空気室６ができる構成となっている。従来の技術では両端部が接着剤で形成されているため、接着部が破損して空気漏れの原因となっている。また、本発明の鍔４も塩化ビニール（厚生省認可）でできているため、筒体１と鍔４の接続も溶着可能である。本発明はディピング（どぶ付け）製法で形成されているため、従来のようなインジェクション製法よりも経済的に安価で破損も少ない。【００３０】  本発明の材質は溶着可能な材質であればどのような材質でも良い。【００３１】  本発明はディピング（どぶ付け）製法で形成されているが、インジェクション製法で形成しても良い。【００３２】  本発明の請求項１は長さ、太さ、材質、仕上げを変えることで医療器具（ギブス）に応用できる。【００３３】  本発明の実施例は塩化ビニールで形成されているが、その材料にかわる合成樹脂でできていても良い。但し、溶着可能な材質に限る。
【発明の効果】
【００３４】  本発明は上記のとおりであって男性の陰茎８を補助して、その機能を完全に発揮せしめ円満な夫婦生活のいとなみを可能にするのは勿論であるが、最近、社会問題になっている少子化問題の対策として効果が得られる。
本発明は特に筒体１の外壁部２と内壁部３が中硬な塩化ビニール（厚生省認可）でできているため、空気室６に空気を送ることによって外壁部２の形状は原型を保ち、内壁部３は内側に押されて陰茎８を締めつける。また材質が中硬な塩化ビニール（厚生省認可）でできているため、従来の男性機能補助具よりも締めつけ度が優れている。また、本発明は溶着で形成されているため、従来の接着を用いての形成より丈夫で長持ちする。
【図面の簡単な説明】
【図１】  本発明の請求項１の実施例の斜視図
【図２】  本発明の請求項１の実施例の縦断面図
【図３】  本発明の請求項１の実施例の縦断面図
【図４】  本発明の請求項２の実施例の斜視図
【図５】  本発明の請求項２の実施例の縦断面図
【図６】  本発明の請求項２の実施例の側面図
【図７】  本発明の請求項２に陰茎８を挿入した実施例の縦断面図
【図８】  本発明の図７の実施例のＡ−Ａ′の横断面図
【図９】  本発明の請求項２に陰茎８挿入した実施例の縦断面図
【図１０】  本発明の図９の実施例のＡ−Ａ′の横断面図
【図１１】  本発明の請求項２に陰茎８を挿入し空気室６に空気を半ばまで入れた状態の実施例の縦断面図
【図１２】  本発明の図１１の実施例のＡ−Ａ′の横断面図
【図１３】  本発明の請求項２に陰茎８を挿入し空気室６に空気を満杯に入れた状態の実施例の縦断面図
【図１４】  本発明の図１３の実施例のＡ−Ａ′の横断面図
【図１５】  本発明の請求項２の筒体１の外側に二重の外壁部２Ａを設けた実施例の縦断面図
【図１６】  本発明の請求項３の筒体１の外側に二重の外壁部２Ａを設けて陰茎８を挿入し、空気室６に空気を満杯に入れた状態の実施例の縦断面図
【図１７】  本発明の請求項５の筒体１が蛇腹状の実施例の側面図
【図１８】  本発明の請求項５の筒体１が蛇腹状の実施例の縦断面図
【図１９】  本発明の実施例の逆止弁５の斜視図
【図２０】  本発明の実施例のサポーター９縦断面図
【図２１】  本発明の実施例の送気ポンプ１２の側面図
【図２２】  本発明の実施例のキャップ１０の斜視図
【符号の説明】
１    筒体
２    外壁部
２Ａ  二重の外壁部
３    内壁部
４    鍔
５    逆止弁
６    空気室
７    亀頭
８    陰茎
９    サポート
１０  キャップ
１１  送気ポンプ（送気球）
１２  蛇腹
【図１】
2006068514.tif 000003
【図２】
2006068514.tif 000004
【図３】
2006068514.tif 000005
【図４】
2006068514.tif 000006
【図５】
2006068514.tif 000007
【図６】
2006068514.tif 000008
【図７】
2006068514.tif 000009
【図８】
2006068514.tif 000010
【図９】
2006068514.tif 000011
【図１０】
2006068514.tif 000012
【図１１】
2006068514.tif 000013
【図１２】
2006068514.tif 000014
【図１３】
2006068514.tif 000015
【図１４】
2006068514.tif 000016
【図１５】
2006068514.tif 000017
【図１６】
2006068514.tif 000018
【図１７】
2006068514.tif 000019
【図１８】
2006068514.tif 000020
【図１９】
2006068514.tif 000021
【図２０】
2006068514.tif 000022
【図２１】
2006068514.tif 000023
【図２２】
2006068514.tif 000024